(57)【要約】      （修正有）【課題】塗装工程で生じる塗装ミストから、塗料および溶剤有機成分を効率良く除去し、正常化した空気のみを排出して環境汚染を防止する塗装工場システムを提供する。【解決手段】塗装工場システムＰＦＣは、塗装装置１と、塗装装置による塗装工程で生じる塗料および溶剤有機成分を含んだ塗装ミストから塗料および溶剤有機成分を捕捉除去する第一次捕捉装置と、第一次捕捉装置からの排気を導入し、この排気に含まれる塗装ミストから塗料および溶剤有機成分を捕捉除去する第二次捕捉装置２１０と、第二次捕捉装置２１０からの排気を導入する滞留分解空間３５０を有した滞留分解装置とを備える。滞留分解装置は、滞留分解空間３５０に第二次捕捉装置から導入した排気中に、溶剤有機成分を分解するバイオ剤を噴霧するバイオ剤噴霧装置３１０と、バイオ剤噴霧装置３１０から噴霧されたバイオ剤を含有して排気中の溶剤有機成分を分解させる有機成分分解装置３２０を有している。【選択図】図１
0003235563.tif 000002
【実用新案登録請求の範囲】
【請求項１】
塗装装置と、
前記塗装装置による塗装工程で生じる塗料および溶剤有機成分を含んだ塗装ミストから塗料および溶剤有機成分を捕捉除去する第一次捕捉装置と、
前記第一次捕捉装置からの排気を導入し、この排気に含まれる塗装ミストから塗料および溶剤有機成分を捕捉除去する第二次捕捉装置と、
前記第二次捕捉装置からの排気を導入する滞留分解空間を有した滞留分解装置と、を備え、
前記滞留分解装置は、前記滞留分解空間に前記第二次捕捉装置から導入した排気中に、溶剤有機成分を分解するバイオ剤を噴霧するバイオ剤噴霧装置と、前記バイオ剤噴霧装置から噴霧されたバイオ剤を含有して排気中の溶剤有機成分を分解させる有機成分分解装置を有していることを特徴とする塗装工場システム。
【請求項２】
二階建ての建物により前記塗装工場システムを構成し、
一階部に前記塗装装置および前記第一次捕捉装置を設け、
二階部に前記第二次捕捉装置を設け、
屋上部に前記滞留分解装置を設けたことを特徴とする塗装工場システム。
【請求項３】
前記塗装装置により塗装が施された製品を乾燥する乾燥装置を備え、乾燥装置により生じた暖気を前記第二次捕捉装置に供給する暖気供給装置を備えることを特徴とする請求項１もしくは２に記載の塗装工場システム。
【請求項４】
前記滞留分解装置の前記滞留分解空間を形成する上面に複数の太陽光パネルを配置し、前記複数の太陽光パネルに必要とされる下面側のパネル支持空間を前記滞留分解空間として用いることを特徴とする請求項１〜３のいずれかに記載の塗装工場システム。
【考案の詳細な説明】
【技術分野】
【０００１】
本考案は、塗装装置と、塗装後の塗装ミストを含む空気を清浄化する装置とを備えた塗装工場システムに関する。特に、塗装にともなって生じる揮発性有機化合物（ＶＯＣ）の除去に優れ、周囲環境に優しくＳＤＧｓ活動に寄与できることを狙った塗装工場システムに関する。
【背景技術】
【０００２】
従来から環境汚染防止などを目的に、スプレー塗装時に発生した霧状の余剰塗料（塗装ミスト）を捕集する方法として、排気ファン等を用いて、塗装室の上方から外気を供給し、塗装ミストを含む空気流を、ブースの水面部に設けた隙間部に強制的に通過させることにより、水滴化した循環水に塗装ミストを取り込む、ベンチュリー式の給気付塗装ブースが提案されている（例えば、特許文献１を参照）。このベンチュリー式の塗装ブースは、塗装ミストの捕集効率が良い点と、メンテナンスが楽な点から多く採用されている。
【０００３】
ところで、上記のような塗装ブースの塗装室内で、塗装のためスプレーガン等の塗装機により霧化した塗料を被塗装物に向けて噴出すると、塗料が塗装機から遠ざかるにつれて外方に広がり、塗料が被塗装物のない領域を含む広範囲に飛散して、塗装室の内壁面などに付着して汚したり、前記内壁面に当たってはね返り作業者や被塗装物などに付着して汚したりすることがあった。このような事態を防ぐため、作業者や被塗装物の位置から内壁面までの距離を長く設定すると、塗装ブースの大型化を招いてしまうという問題があった。また、塗装ミストを捕集する空気流の量を増加させるために排気ファンの排気量を多くすると、エネルギー消費が大となってしまう問題があった。さらに、塗料が被塗装物の表面に付着する効率（塗着効率）が低くなり、被塗装物を塗り上げるのに必要な塗料の使用量が多くなるという問題があった。このような問題に鑑み、本出願人は、小型で簡単な構成でありながら、効率良く給気を行い、スプレー塗装時の塗料の飛散を抑えて塗装室内の汚れの発生を防ぐことができるとともに、被塗装物の塗装品質を向上させることができる給気付塗装ブースを特許出願しており、公開されている（特許文献２）。
【先行技術文献】
【特許文献】
【０００４】
【特許文献１】特開２０００−２２５３６１号公報
【特許文献２】特開２００７−３８０９４号公報
【考案の概要】
【考案が解決しようとする課題】
【０００５】
ところで、塗装に用いられる塗料は一般的に有機溶剤を用いており、塗装時に霧状となった塗料に加え、塗料に含まれる溶剤有機成分が気体状（霧状）になって飛散するので、この溶剤有機成分（揮発性有機化合物：ＶＯＣ）の排出も抑えることが求められる。上記特許文献２に記載の吸気付塗装ブースを用いれば塗料だけでなく、溶剤有機成分の排出もある程度抑制できるが、溶剤有機成分を除去するのは難しく限度がある。特に、塗装装置や、乾燥装置を複数備えた工場システムとして考えたときに、塗装ミストに含まれる塗料は無論のこと、溶剤有機成分が気体状となって工場から外部に排出されることを徹底的に抑制することが求められる。
【０００６】
本考案はこのような事情に鑑みたもので、塗装装置、乾燥装置などを備えた塗装工場において、塗装工程で生じる塗料および溶剤有機成分を含んだ塗装ミストから、塗料および溶剤有機成分を効率良く除去してこれらを外部に排出することを防止できる塗装工場シス
テムを提供することを目的とする。本考案は特に、塗装にともなって生じる溶剤有機成分（揮発性有機化合物：ＶＯＣ）の除去に優れ、周囲環境に優しくＳＤＧｓ活動に寄与できることを狙った塗装工場システムを提供することを目的とする。
【課題を解決するための手段】
【０００７】
このような目的を達成するために、本考案に係る塗装工場システムは、塗装装置と、前記塗装装置による塗装工程で生じる塗料および溶剤有機成分を含んだ塗装ミストから塗料および溶剤有機成分を捕捉除去する第一次捕捉装置と、前記第一次捕捉装置からの排気を導入し、この排気に含まれる塗装ミストから塗料および溶剤有機成分を捕捉除去する第二次捕捉装置と、前記第二次捕捉装置からの排気を導入する滞留分解空間を有した滞留分解装置と、を備え、前記滞留分解装置は、前記滞留分解空間に前記第二次捕捉装置から導入した排気中に、溶剤有機成分を分解するバイオ剤を噴霧するバイオ剤噴霧装置と、前記バイオ剤噴霧装置から噴霧されたバイオ剤を含有して排気中の溶剤有機成分を分解させる有機成分分解装置を有している。
【０００８】
本考案において、好ましくは、二階建ての建物により前記塗装工場システムを構成し、一階部に前記塗装装置および前記第一次捕捉装置を設け、二階部に前記第二次捕捉装置を設け、屋上部に前記滞留分解装置を設ける。
【０００９】
本考案において、好ましくは、前記塗装装置により塗装が施された製品を乾燥する乾燥装置を備え、乾燥装置により生じた暖気を前記第二次捕捉装置に供給する暖気供給装置を備える。
【００１０】
本考案において、好ましくは、前記滞留分解装置における前記滞留分解空間の上面に複数の太陽光パネルを配置し、前記複数の太陽光パネルに必要とされる下面側のパネル支持空間を前記滞留分解空間として用いる。
【考案の効果】
【００１１】
本考案に係る塗装工場システムによれば、塗装装置に設けられた第一次捕捉装置により、塗装工程で生じる塗装ミストおよび溶剤有機成分を一次的に捕捉除去し、さらにこのように一次的な塗装ミストおよび溶剤有機成分の捕捉除去がなされた後の第一次捕捉装置からの排気からこの排気に含まれる塗装ミストおよび溶剤有機成分を第二次捕捉装置により二次的に捕捉除去することにより、塗装ミストをほぼ完全に除去できる。しかし、これら二回の捕捉除去によっても溶剤有機成分は部分的に残るため、本考案に係る塗装工場システムにおいては、第二次捕捉装置からの排気を滞留分解装置に導入し、この滞留分解装置の滞留分解空間において、バイオ剤噴霧装置から噴霧されたバイオ剤を用いる有機成分分解装置により、排気中の溶剤有機成分を分解させてほぼ完全に除去できるので、正常で外気汚染のおそれのない安全な排気として外部に排出可能となる。これにより、周囲環境に優しくＳＤＧｓ活動に寄与可能な塗装工場システムを提供することができる。
【００１２】
なお、本考案に係る塗装工場システムを二階建ての建物により構成し、一階部に塗装装置および第一次捕捉装置を設け、二階部に第二次捕捉装置を設け、屋上部に滞留分解装置を設けると、二階建ての建物内に各装置を効率良く配置し、排気の浄化を効率良く行うことができる。特に、屋上部に滞留分解装置を設けると、屋上の広いエリアを滞留分解空間として用いることができ、非常に大きな滞留分解空間を得て、この内部での排気の流れを緩やかにできるので、有機成分分解装置によるバイオ剤を用いた溶剤有機成分の分解除去をより確実且つ有効に行わせることができる。
【００１３】
さらに、本考案に係る塗装工場システムにおいて、塗装装置により塗装が施された製品を乾燥する乾燥装置を備え、乾燥装置により生じた暖気を第二次捕捉装置に供給する暖気
供給装置を備えるのが好ましく、このようにすると、第二次捕捉装置に暖気を供給して効果的な塗装ミストおよび溶剤有機成分の捕捉除去を行なわせることができる。
【００１４】
さらに、本考案に係る塗装工場システムにおいて、滞留分解装置における滞留分解空間の上面に複数の太陽光パネルを配置し、複数の太陽光パネルに必要とされる下面側のパネル支持空間を滞留分解空間として用いるのが好ましく、これにより太陽光パネルの設置空間を滞留分解空間として用いて有効活用できる。
【図面の簡単な説明】
【００１５】
【図１】本実施形態に係る塗装工場の全体を概略的に示す側断面図である。
【図２】上記塗装工場の一階部分を概略的に示す平断面図である。
【図３】上記塗装工場に設けられた塗装ブースを示す側断面図である。
【考案を実施するための形態】
【００１６】
以下、図面を参照して本考案の好ましい実施形態について説明する。図１は、本考案に係る塗装工場システムを用いた塗装工場ＰＦＣの全体構成を概略的に示す側断面図である。この図に示すように、塗装工場ＰＦＣは、一階部１００と、二階部２００と、屋上部３００とを有する二階建ての構成となっている。
【００１７】
一階部１００は、図２の平断面図に示すように、左右外側に位置して塗装室１１０、１１０が設けられ、その内側に位置して乾燥室１２０、１２０が設けられ、塗装室１１０のそれぞれに隣接してコンプレッサ室１３０およびボイラ室１４０が設けられている。各塗装室１１０の内部には２つの給気付塗装ブース１が設けられている。この給気付塗装ブース１については、図３を参照して詳しく後述するが、ここに第一次捕捉装置が含まれる。乾燥室１２０には、自動乾燥機５０が配設されており、隣接する塗装室１１０において塗装が施された製品の塗料をここで乾燥させる。
【００１８】
給気付塗装ブース１は、図３に示すように構成される。なお、図中の実線の矢印は、後述の給気ファン１４及び排気ファン１５の稼動による、本ブース１内の空気（塗装ミスト、溶剤有機成分を含んだ空気となる箇所もある）の主な流れを示している。
【００１９】
図３に示すように、給気付塗装ブース１は、被塗装物Ｗのスプレー塗装を行う塗装作業室１１と、塗装作業室１１の後方に設けられた排気室１２と、塗装作業室１１及び排気室１２の下方に、両室を連通して設けられて循環水を貯蔵する循環水槽１３と、塗装作業室１１内に空気を供給する給気ファン１４と、排気室１２内の空気を排出する排気ファン１５と、塗装作業室１１及び排気室１２の間に設けられた案内板１６とを備える。
【００２０】
塗装作業室１１と排気室１２は、案内板１６およびそれに繋がって延びる壁板により区画形成されるが、壁板の下端に形成された循環水槽１３の水面との間の隙間部１２ａにより連通している。
【００２１】
給気ファン１４は、塗装作業室１１と繋がって一定の温湿度に調整した空調空気を供給する空調装置２０を備えた作業室２１（塗装室１１０の一部を構成する）から、塗装作業室１１内に供給する空気を得ている。なお、給気ファン１４には、ダンパ１４ａが設けられており、この開度を調整することによって、塗装作業室１１内への給気風速の調整を行うことができるようになっている。
【００２２】
また、給気ファン１４の吐出口には、該吐出口から案内板１６の上部に向かって張り出したガイド部材１４ｂが取り付けられており、給気ファン１４の稼動に伴い塗装作業室１１内に供給される空気の一部を案内板１６の方へ誘導している。
【００２３】
これにより、給気ファン１４から塗装作業室１１内に供給される空気の一部を、案内板１６の上部に誘導して該案内板１６に沿って流下する空気流を生み出し、スプレー塗装時に飛散した余剰塗料がこの案内板１６で跳ね返ることを防ぐことができる。よって、被塗装物Ｗの配置位置から案内板１６までの距離Ｌを短く設定することができ、ひいては塗装ブース１の小型化・簡素化を図ることができる。また、塗装ミストを捕集する空気流の量を抑えることができるため、排気ファン１５の排気量を抑えることができ、省エネルギー化に貢献できる。
【００２４】
案内板１６は、被塗装物Ｗの前面に位置するように設けられ、給気ファン１４の稼動に伴い塗装作業室１１内に供給された空気を、被塗装物Ｗの配置位置付近を経て隙間部１２ａへと流下させるように構成されている。なお、本実施形態では、案内板１６は、給気ファン１４の吐出口と被塗装物Ｗの配置位置付近とを円弧状に結んだ形状を有している。但し、案内板１６の形状は、これに限定されるものではない。
【００２５】
排気ファン１５の吐出通路内には排気ファン１５の稼動に伴い排出された排気室１２内の空気を受けて回転する風力ファン３０と、風力ファン３０の回転力を電力に変換してその電力を給気ファン１４に供給する発電機３１とが設けられている。さらに、本実施形態では、給気ファン１４に直流で駆動するタイプのものを使用しているため、発電機３１により発電された電力を交流から直流に変換するインバータ装置３２と、インバータ装置３２により直流に変換された電力が所定値となるように制御する制御装置３３とが設けられ、制御装置３３により所定値になるように制御された電力が、給気ファン１４を駆動する電力として利用できるようになっている。
【００２６】
上記構成の給気付塗装ブース１では、給気ファン１４及び排気ファン１５の稼動に伴い、被塗装物Ｗの塗装時に発生する余剰塗料および溶剤有機成分を含んだ空気（塗装ミスト）を、案内板１６上部から隙間部１２ａへと流下させ、この隙間部１２ａを通過する際に、循環水と接触・混合させる。このようにして生じた余剰塗料成分および溶剤有機成分を含んだ循環水および空気が、排気室１２内に設けられたエリミネータ１７を通過するときに、余剰塗料成分および溶剤有機成分を含んだ循環水が捕集され、空気だけが排気ファン１５により排出される。エリミネータ１７により捕集された余剰塗料および溶剤有機成分を含んだ循環水は、循環水槽１３に滴下して遠心分離機などを用いて捕集され、循環水系から除去される。
【００２７】
余剰塗料が除去された循環水は、再利用処理を経た後に、循環水槽１３にて再利用される。また、循環水槽１３から除去された余剰塗料も、必要な処理を経た後に、再利用することが可能である。
【００２８】
排気ファン１５から排出された（循環水が捕集された後の）空気は、排気ファン１５の吐出通路内に設けられた風力ファン３０を回転し、この風力ファン３０の回転力は発電機３１により電力に変換され、（インバータ装置３２及び制御装置３３を経て）この発電機３１で発電された電力は給気ファン１４を駆動するための電力として利用することができ、発電コストを抑えることが可能である。
【００２９】
以上の説明したように、給気付塗装ブース１においては、塗装作業室１１内において被塗装物Ｗのスプレー塗装が行われたときに発生する塗料および溶剤の有機物を含んだ塗装ミストが隙間部１２ａを通過するときに循環水槽１３内の循環水に接触して混合され、塗料および溶剤有機成分が吸着され、エリミネータ１７により捕集されて循環水槽１３内に流下して捕捉される。そして、このようにして塗料および溶剤有機成分が吸着除去された後の空気（これを一次排気と称する）が排気室１２内に流入し、排気ファン１５により排
出される。なお、この構成が第一次捕捉装置を構成する。このように第一次捕捉装置を有した給気付塗装ブース１において、排気ファン１５の吐出通路に繋がって第１排気ダクト４０が二階部２００に延びて設けられている。
【００３０】
二階部２００には、図１に示すように、各塗装室１１０の上方に位置して第二次捕捉装置２１０が設けられている。第二次捕捉装置２１０は、上述した第一次捕捉装置と同様な構成・機能を有した装置であり、塗装作業室１１に対応する一次排気流入室（ここでは塗装作業は行われず、塗装装置類のない空間からなる）と、その後方に仕切壁を介して設けられた排気室１２と同様な構成の第２排気室と、一次排気流入室および第２排気室の下部に設けられた循環水槽１３と同様な構成の第２循環水槽とを備えて構成される。第一次捕捉装置と同様に、一次排気流入室および第２排気室の仕切壁の下部は連通しており、循環水槽の水面との間に空気を通過させる第２隙間部が設けられている。
【００３１】
このような構成の第二次捕捉装置２１０の一次排気流入室に、第１排気ダクト４０が繋がっており、第一次捕捉装置により塗料および溶剤有機成分が吸着された後の一次排気が、排気ファン１５により第１排気ダクト４０を介して一次排気流入室に送り込まれる。このようにして送られてきた一次排気は、第一次捕捉装置による捕捉と同様にして、一次排気に含まれる塗料および溶剤有機成分が第２循環水槽の循環水に吸着捕集される。このようにして塗料および溶剤有機成分がさらに吸着除去された後の空気（これを二次排気と称する）は、第２排気室に繋がる第２排気ダクト２２０を介して屋上部３００に送られるようになっている。
【００３２】
一階部１００の乾燥室１２０に設けられた自動乾燥機５０の暖気を導入する導入ダクト５５が、二階部２００に延び、第二次捕捉装置２１０の一次排気流入室に繋がっている。これにより、自動乾燥機５０において生じた暖気が導入ダクト５５を介して一次排気流入室に導入され、第二次捕捉装置において、塗料および溶剤有機成分を吸着捕集する効率を高めるようになっている。特に、冬場のように低温環境下において、吸着捕集効率を高く保つことができるようになっている。
【００３３】
第二次捕捉装置２１０は、第１次捕捉装置（給気付塗装ブース１）の排気ファン１５と同様な第２排気ファンを備えており、第２排気室内の二次排気を第２排気ファンにより第２排気ダクト２２０を介して屋上部３００に送られる。
【００３４】
屋上部３００には、多数の太陽光パネル３３０が配置されており、これら太陽光パネル３３０を支持する下部空間の周囲が囲まれて、滞留分解空間３５０が形成されている。第２排気ダクト２２０の先端部２２１は滞留空間３５０に開口しており、送られてきた二次排気はこの開口から滞留分解空間３５０内に排出される。
【００３５】
滞留分解空間３５０内には、第２排気ダクト２２０の先端部２２１から排出される二次排気に向かってバイオ剤を噴霧するバイオ剤噴霧装置３１０と、このように噴霧されたバイオ剤を吸着保持するとともに二次排気を追加させるフィルタ状もしくはメッシュ状の複数の有機成分分解装置３２０を備えている。なお、このように滞留分解空間３５０を構成し、その空間内にバイオ剤噴霧装置３１０および有機成分分解装置３２０を備えて、滞留分解装置が構成される。
【００３６】
バイオ剤噴霧装置３１０から噴霧されるバイオ剤は、二次排気に含まれる溶剤有機成分を分解する好気性のバイオ剤から構成されており、フィルタ状もしくはメッシュ状の有機成分分解装置３２０に付着し、ここを通る二次排気に含まれる溶剤有機成分を分解除去する。この結果、滞留分解空間３５０から外部に排出される空気は、塗料および有機溶剤成分が完全に除去された正常な空気となり、屋上の広い空間から周囲に緩やかに排出され、
工場の周囲環境を汚染するおそれがない。このようにして、周囲環境に優しくＳＤＧｓ活動に寄与可能な塗装工場システムを構成している。
【００３７】
なお、上記バイオ剤としては、天然好気性微生物群＜Ｗ５００Ｇ＞と称されるものがある。これは自然界より接種した好気性微生物と酵素５２０種類の細菌を最新のバイオテクノロジーによる混合培養法により培養して作ったものである。なお、このようなバイオ剤は比較的低温に弱く、例えば、摂氏５度以下の環境では活動が低下するという問題がある。このようなことを鑑み、上述のように自動乾燥機５０において生じた暖気が導入ダクト５５を介して一次排気流入室に導入され、第二次捕捉装置において塗料および溶剤有機成分を吸着捕集した後、ここからの排気が滞留分解空間３５０に導入される構成としている。これにより、滞留分解空間３５０の空気が自動乾燥機５０において生じた暖気を用いて暖められることとなり、特に冬場などの低温環境下においても、バイオ剤の活動を阻害させないようにしている。
【符号の説明】
【００３８】
１  給気付塗装ブース                  １１  塗装作業室
１２  排気室                          １２ａ  隙間部
１３  循環水槽                        １４  給気ファン
１４ａ  ダンパ                        １４ｂ  ガイド部材
１５  排気ファン                      １６  案内板
１７  エリミネータ                    ４０  第１排気ダクト
５０  自動乾燥機                      ５５  導入ダクト
１００  一階部                        １１０  塗装室
１２０  乾燥室                        ２００  二階部
３００  屋上部                        ３１０  バイオ剤噴霧装置
３２０  有機成分分解装置              ３３０  太陽光パネル
Ｗ  被塗装物                          ＦＰＣ  塗装工場
【図１】
0003235563.tif 000003
【図２】
0003235563.tif 000004
【図３】
0003235563.tif 000005
【手続補正書】
【提出日】令和3年11月1日(2021.11.1)
【手続補正１】
【補正対象書類名】実用新案登録請求の範囲
【補正対象項目名】全文
【補正方法】変更
【補正の内容】
【実用新案登録請求の範囲】
【請求項１】
塗装装置と、
前記塗装装置による塗装工程で生じる塗料および溶剤有機成分を含んだ塗装ミストから塗料および溶剤有機成分を捕捉除去する第一次捕捉装置と、
前記第一次捕捉装置からの排気を導入し、この排気に含まれる塗装ミストから塗料および溶剤有機成分を捕捉除去する第二次捕捉装置と、
前記第二次捕捉装置からの排気を導入する滞留分解空間を有した滞留分解装置と、を備え、
前記滞留分解装置は、前記滞留分解空間に前記第二次捕捉装置から導入した排気中に、溶剤有機成分を分解するバイオ剤を噴霧するバイオ剤噴霧装置と、前記バイオ剤噴霧装置から噴霧されたバイオ剤を含有して排気中の溶剤有機成分を分解させる有機成分分解装置を有していることを特徴とする塗装工場システム。
【請求項２】
二階建ての建物により前記塗装工場システムを構成し、
一階部に前記塗装装置および前記第一次捕捉装置を設け、
二階部に前記第二次捕捉装置を設け、
屋上部に前記滞留分解装置を設けたことを特徴とする請求項１に記載の塗装工場システム。
【請求項３】
前記塗装装置により塗装が施された製品を乾燥する乾燥装置を備え、乾燥装置により生じた暖気を前記第二次捕捉装置に供給する暖気供給装置を備えることを特徴とする請求項１もしくは２に記載の塗装工場システム。
【請求項４】
前記滞留分解装置の前記滞留分解空間を形成する上面に複数の太陽光パネルを配置し、前記複数の太陽光パネルに必要とされる下面側のパネル支持空間を前記滞留分解空間として用いることを特徴とする請求項１〜３のいずれかに記載の塗装工場システム。